(57)【要約】【課題】報知情報の値がサポートされない値である場合にも、適切に他システムの周波数帯域への干渉の低減を行う。【解決手段】本発明に係るユーザ装置１００ｎは、下りリンクにおいて、報知情報を受信するように構成されている報知情報受信部１１２を具備し、報知情報受信部１１２は、報知情報に含まれる情報がサポートされない値である場合に、当該セルを規制されているセルとみなすように構成されている。【選択図】図４
2011044822.tif 000002
【特許請求の範囲】
【請求項１】
基地局装置が移動通信サービスを提供しているセルにおいて、前記基地局装置と無線通信するユーザ装置であって、
下りリンクにおいて、報知情報を受信するように構成されている報知情報受信部を具備し、
前記報知情報受信部は、前記報知情報に含まれる情報がサポートされない値である場合に、前記セルを、規制されているセルとみなすように構成されていることを特徴とするユーザ装置。
【請求項２】
前記セルに在圏するように構成されているセル選択／再選択部をさらに具備し、
前記報知情報受信部が、前記セルを規制されているセルとみなした場合に、前記セル選択／再選択部は、前記セルに在圏しないように構成されていることを特徴とする請求項１に記載のユーザ装置。
【請求項３】
前記報知情報に含まれる情報は、システム帯域幅を示す情報、上りリンクの周波数を示す情報、キャリアアグリゲーションが行われる周波数バンドを示す情報、上りリンクの制御情報を送信する周波数バンドを示す情報、ランダムアクセスチャネルを送信する周波数バンドを示す情報、付加的なスペクトラムエミッション規定が適用されるか否かを示す情報の少なくとも１つであることを特徴とする請求項１に記載のユーザ装置。
【請求項４】
前記報知情報に含まれる情報は、付加的なスペクトラムエミッション規定が適用されるか否かを示す情報であることを特徴とする請求項１に記載のユーザ装置。
【請求項５】
前記報知情報受信部は、前記付加的なスペクトラムエミッション規定が適用されるか否かを示す情報がサポートされるか否かに加えて、周波数とシステム帯域幅の少なくとも１つに基づいて、前記セルを、規制されているセルとみなすか否かについて判定するように構成されていることを特徴とする請求項４に記載のユーザ装置。
【請求項６】
基地局装置が移動通信サービスを提供しているセルにおいて、前記基地局装置と無線通信するユーザ装置における移動通信方法であって、
下りリンクにおいて、報知情報を受信する第１のステップを有し、
前記第１のステップにおいて、前記報知情報に含まれる情報がサポートされない場合に、前記セルを、規制されているセルとみなすことを特徴とする移動通信方法。
【発明の詳細な説明】
【技術分野】
【０００１】
本発明は、移動通信の技術分野に関連し、特に、次世代移動通信技術を用いる移動通信システムにおけるユーザ装置及び移動通信方法に関する。
【背景技術】
【０００２】
広帯域符号分割多重接続（Ｗ-ＣＤＭＡ）方式や、高速下りリンクパケットアクセス（ＨＳＤＰＡ）方式や、高速上りリンクパケットアクセス（ＨＳＵＰＡ）方式等の後継となる通信方式、すなわち、ロングタームエボリューション（ＬＴＥ：Ｌｏｎｇ  Ｔｅｒｍ  Ｅｖｏｌｕｔｉｏｎ）（Ｅ-ＵＴＲＡ）方式に関する仕様化作業が、標準化団体である３ＧＰＰにおいて行われている。
【０００３】
ＬＴＥ方式での無線アクセス方式として、下りリンクについては、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式が採用されており、上りリンクについては、シングルキャリア周波数分割多重接続（ＳＣ-ＦＤＭＡ：Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が採用されている（例えば、非特許文献１参照）。
【０００４】
ＯＦＤＭＡ方式は、周波数帯域を複数の狭い周波数帯域（サブキャリア）に分割し、各サブキャリア上にデータを載せて伝送を行うマルチキャリア伝送方式である。ＯＦＤＭＡ方式によれば、サブキャリアを周波数軸上に直交させながら密に並べることによって、高速伝送を実現し、周波数の利用効率を上げることが期待できる。
【０００５】
ＳＣ-ＦＤＭＡ方式は、周波数帯域を端末毎に分割し、複数の端末間で異なる周波数帯域を用いて伝送するシングルキャリア伝送方式である。ＳＣ-ＦＤＭＡ方式によれば、端末間の干渉を簡易且つ効果的に低減することができることに加えて、送信電力の変動を小さくできるので、ＳＣ-ＦＤＭＡ方式は、端末の低消費電力化及びカバレッジの拡大等の観点から好ましい。
【０００６】
ＬＴＥ方式の移動通信システムでは、下りリンク及び上りリンクの両方において、ユーザ装置に、１つ乃至２つ以上のリソースブロックが割り当てられて通信が行われる。ここで、リソースブロックは、移動通信システム内の１つ乃至２つ以上のユーザ装置によって共有される。
【０００７】
基地局装置は、サブフレーム（Ｓｕｂ-ｆｒａｍｅ）（ＬＴＥ方式では、１ｍｓ）毎に、１つ乃至２つ以上のユーザ装置の中で、どのユーザ装置に対してリソースブロックを割り当てるかについて決定するように構成されている（かかるプロセスは「スケジューリング」と呼ばれる）。
【０００８】
下りリンクにおいては、基地局装置が、スケジューリングで選択されたユーザ装置に対して、１つ乃至２つ以上のリソースブロックを用いて、共有チャネル信号を送信するように構成されている。
【０００９】
上りリンクにおいては、スケジューリングで選択されたユーザ装置が、基地局装置に対して、１つ乃至２つ以上のリソースブロックを用いて、共有チャネル信号を送信するように構成されている。
【００１０】
そして、上述したような共有チャネルを用いた移動通信システムにおいては、サブフレーム（ＬＴＥ方式では、１ｍｓ）毎に、どのユーザ装置に対して、上述の共有チャネルを割り当てるかについてシグナリングする必要がある。
【００１１】
かかるシグナリングに用いられる制御チャネルは、ＬＴＥ方式では、「物理下りリンク制御チャネル（ＰＤＣＣＨ：Ｐｈｙｓｉｃａｌ  Ｄｏｎｗｌｉｎｋ  Ｃｏｎｔｒｏｌ  Ｃｈａｎｎｅｌ）」或いは「下りＬ１/Ｌ２制御チャネル（ＤＬ-Ｌ１/Ｌ２  Ｃｏｎｔｒｏｌ  Ｃｈａｎｎｅｌ）」と呼ばれる。
【００１２】
かかる物理下りリンク制御チャネルの情報には、例えば、「下りスケジューリング情報（Ｄｏｗｎｌｉｎｋ  Ｓｃｈｅｄｕｌｉｎｇ  Ｉｎｆｏｒｍａｔｉｏｎ）」や「上りリンクスケジューリンググラント（Ｕｐｌｉｎｋ  Ｓｃｈｅｄｕｌｉｎｇ  Ｇｒａｎｔ）」等がマッピングされる。なお、上述の下りスケジューリング情報や上りスケジューリンググラントは、「下りリンク制御情報（ＤＣＩ：  Ｄｏｗｎｌｉｎｋ  Ｃｏｎｔｒｏｌ  Ｉｎｆｏｒｍａｔｉｏｎ）」とも呼ばれる。  上述の下りスケジューリング情報や上りリンクスケジューリンググラントが、どのユーザ装置に対して、上述の共有チャネルを割り当てるかについてシグナリングするための情報に相当する。
【００１３】
ところで、電波を用いた移動通信システムである携帯電話や電波天文や衛星通信や航空・海上レーダーや地球資源探査や無線ＬＡＮでは、一般的に、互いの干渉を防ぐために、利用する周波数帯域が分離されている。
【００１４】
また、例えば、携帯電話システムに対して割り当てられた周波数帯域を、更に複数の移動通信システムが利用し、各移動通信システムで利用される周波数帯域は分離されている。すなわち、電波を用いた移動通信システムは、利用する周波数帯域を分離することにより、システム間の干渉を防いでいる。
【００１５】
ここで、電波を放射する送信機は、予め決められた周波数で信号を送信しなかったり、あるいは、決められた周波数で信号を送信したとしても、許容されているよりも大きな電力の不要波（あるいは、干渉波）を、自システムの周波数帯域とは異なる周波数帯域に送信したりした場合に、周波数が異なる他システムに対して、多大な悪影響を与えることになる。
【００１６】
上述した悪影響を回避するため、移動通信システムにおけるユーザ装置は、「Ｒｅｃｅｉｖｅ  ｂｅｆｏｒｅ  ｔｒａｎｓｍｉｔ」という思想のもと、基地局装置からの報知情報を読んだ後に、上りリンクの信号を送信する、という動作が規定されている。
【００１７】
尚、「Ｒｅｃｅｉｖｅ  ｂｅｆｏｒｅ  ｔｒａｎｓｍｉｔ」における「ｒｅｃｅｉｖｅ」とは、報知情報を受信する、という動作を指し、「ｔｒａｎｓｍｉｔ」は、上りリンクの信号を送信する、という動作を指す。
【００１８】
尚、上記思想は、基地局装置は、前記移動通信システムを提供する事業者が、各国の行政の監視の下適正に移動通信システムの運用を行うが、ユーザ装置は、一般ユーザが所有する無線通信端末であり、監視が行き届かないという前提に基づいている。
【先行技術文献】
【非特許文献】
【００１９】
【非特許文献１】３ＧＰＰ  ＴＳ３６.２１１（Ｖ.８.４.０）、「Ｅ-ＵＴＲＡ  Ｐｈｙｓｉｃａｌ  Ｃｈａｎｎｅｌｓ  ａｎｄ  Ｍｏｄｕｌａｔｉｏｎ」、２００８年９月
【発明の概要】
【発明が解決しようとする課題】
【００２０】
しかしながら、上述した背景技術には、以下の問題点がある。
【００２１】
一般に、移動通信システムは、随時バージョンアップが行われるため、既にリリースされたバージョンのユーザ装置は、その後にリリースされるバージョンの基地局装置によって送信される報知情報の内、新規に追加された報知情報の情報要素を理解することができない場合がある。
【００２２】
この場合、新規に追加された報知情報の情報要素が、上述した、予め決められた周波数で信号を送信するように、あるいは、許容されているよりも大きな電力の不要波を、自システムの周波数帯域とは異なる周波数帯域に送信しないように動作させるための情報である場合に、既にリリースされたバージョンのユーザ装置が、前記情報要素の意味することを理解できず、結果として、適切な動作が行われず、多大な悪影響を引き起こすという問題点がある。
【００２３】
また、上述したリリースに関係なく、報知情報のある情報要素に関連する機能が、オプションの機能として定義されている場合、ユーザ装置は、当該情報要素を理解することができない、あるいは、サポートしない場合がある。この場合も、同様に、適切な動作が行われず、多大な悪影響を引き起こすという問題がある。
【００２４】
そこで、本発明は、上述の課題に鑑みてなされたものであり、基地局装置によって送信される報知情報に含まれる情報がサポートされない値である場合に、不要な干渉波により他システムに対して悪影響を与えるといった事象を回避することができるユーザ装置及び移動通信方法を提供することを目的とする。
【課題を解決するための手段】
【００２５】
本発明の第１の特徴は、基地局装置が移動通信サービスを提供しているセルにおいて、前記基地局装置と無線通信するユーザ装置であって、下りリンクにおいて、報知情報を受信するように構成されている報知情報受信部を具備し、前記報知情報受信部は、前記報知情報に含まれる情報がサポートされない値である場合に、前記セルを、規制されているセルとみなすことを要旨とする。
【００２６】
本発明の第２の特徴は、基地局装置が移動通信サービスを提供しているセルにおいて、前記基地局装置と無線通信するユーザ装置における移動通信方法であって、下りリンクにおいて、報知情報を受信する第１のステップを有し、前記第１のステップにおいて、前記報知情報に含まれる情報がサポートされない場合に、前記セルを、規制されているセルとみなすことを要旨とする。
【発明の効果】
【００２７】
以上説明したように、本発明によれば、基地局装置によって送信される報知情報に含まれる情報がサポートされない値である場合に、不要な干渉波により他システムに対して悪影響を与えるといった事象を回避することができるユーザ装置及び移動通信方法を提供することができる。
【図面の簡単な説明】
【００２８】
【図１】本発明の第１の実施形態に係る移動通信システムの全体構成図である。
【図２】本発明の第１の実施形態に係る基地局装置の機能ブロック図である。
【図３】本発明の第１の実施形態に係るユーザ装置の機能ブロック図である。
【図４】本発明の第１の実施形態に係るユーザ装置の動作を示すフローチャートである。
【図５】本発明の第１の実施形態に係るユーザ装置の動作を示すフローチャートである。
【図６】本発明の第１の実施形態に係るユーザ装置の動作を示すフローチャートである。
【発明を実施するための形態】
【００２９】
（本発明の第１の実施形態に係る移動通信システム）
以下、本発明の第１の実施形態に係る移動通信システムについて、図面を参照しつつ説明する。本実施形態を説明するための全図において、同一機能を有するものは同一符号を用い、繰り返しの説明は省略する。
【００３０】
図１を参照しながら、本実施形態に係るユーザ装置１００ｎ（１００１、１００２、１００３、・・・１００ｎ、ｎは、ｎ＞０の整数）及び基地局装置２００を有する移動通信システムについて説明する。
【００３１】
移動通信システム１０００は、例えば、「Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ、或いは、Ｓｕｐｅｒ  ３Ｇ）」方式、あるいは、ＬＴＥ−Ａｄｖａｎｃｅｄが適用されるシステムである。
【００３２】
移動通信システム１０００は、基地局装置（ｅＮＢ：ｅＮｏｄｅ  Ｂ）２００と、基地局装置２００と通信する複数のユーザ装置（ＵＥ：Ｕｓｅｒ  Ｅｑｕｉｐｍｅｎｔ）１００ｎ（１００１、１００２、１００３、・・・１００ｎ、ｎは、ｎ＞０の整数）とを備える。
【００３３】
基地局装置２００は、上位局、例えば、アクセスゲートウェイ装置３００と接続され、アクセスゲートウェイ装置３００は、コアネットワーク４００と接続される。ユーザ装置１００ｎは、セル５０において基地局装置２００と「Ｅｖｏｌｖｅｄ  ＵＴＲＡ  ａｎｄ  ＵＴＲＡＮ」方式により通信を行っている。なお、アクセスゲートウェイ装置３００は、ＭＭＥ/ＳＧＷ（Ｍｏｂｉｌｉｔｙ  Ｍａｎａｇｅｍｅｎｔ  Ｅｎｔｉｔｙ/Ｓｅｒｖｉｎｇ  Ｇａｔｅｗａｙ）と呼ばれてもよい。
【００３４】
各ユーザ装置（１００１、１００２、１００３、・・・１００ｎ）は、同一の構成、機能、状態を有するので、以下では、特段の断りがない限り、ユーザ装置１００ｎとして説明を進める。説明の便宜上、基地局装置と無線通信するものを、ユーザ装置とするが、本発明は、移動端末も固定端末も含む移動局、移動端末（ＭＳ：Ｍｏｂｉｌｅ  Ｓｔａｔｉｏｎ）が用いられる場合に適用可能である。
【００３５】
移動通信システム１０００では、無線アクセス方式として、下りリンクについては「ＯＦＤＭＡ（直交周波数分割多元接続）方式」が適用され、上りリンクについては「ＳＣ-ＦＤＭＡ（シングルキャリア-周波数分割多元接続）方式」が適用される。
【００３６】
上述したように、ＯＦＤＭＡ方式は、周波数帯域を複数の狭い周波数帯域（サブキャリア）に分割し、各サブキャリアにデータをマッピングして通信を行うマルチキャリア伝送方式である。また、ＳＣ-ＦＤＭＡ方式は、周波数帯域を端末毎に分割し、複数の端末が互いに異なる周波数帯域を用いることで、端末間の干渉を低減するシングルキャリア伝送方式である。
【００３７】
ここで、「Ｅｖｏｌｖｅｄ  ＵＴＲＡ  ａｎｄ  ＵＴＲＡＮ」方式で用いられる通信チャネルについて説明する。
【００３８】
下りリンクについては、各ユーザ装置１００ｎで共有される「物理下りリンク共有チャネル（ＰＤＳＣＨ）」及び「物理下りリンク制御チャネル（ＰＤＣＣＨ）」が用いられる。
【００３９】
物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）により、ユーザデータ、すなわち、通常のデータ信号が伝送される。また、ＰＤＣＣＨにより、ＰＤＳＣＨを用いて通信を行うユーザのＩＤやユーザデータのトランスポートフォーマットの情報（すなわち、下りスケジューリング情報）や、物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）を用いて通信を行うユーザのＩＤやユーザデータのトランスポートフォーマットの情報（すなわち、上りスケジューリンググラント）等が通知される。
【００４０】
ＰＤＣＣＨは、「下りＬ１/Ｌ２制御チャネル（Ｄｏｗｎｌｉｎｋ  Ｌ１／Ｌ２  Ｃｏｎｔｒｏｌ  Ｃｈａｎｎｅｌ）」と呼ばれてもよい。また、「下りスケジューリング情報」や「上りスケジューリンググラント」は、まとめて、「下りリンク制御情報（ＤＣＩ）」と呼ばれてもよい。
【００４１】
また、下りリンクにおいては、論理チャネルとして「ＢＣＣＨ：Ｂｒｏａｄｃａｓｔ  Ｃｏｎｔｒｏｌ  Ｃｈａｎｎｅｌ」が送信される。
【００４２】
ＢＣＣＨの一部は、トランスポートチャネルである「ＢＣＨ：Ｂｒｏａｄｃａｓｔ  Ｃｈａｎｎｅｌ」」にマッピングされ、ＢＣＨにマッピングされた情報は、物理チャネルである「Ｐ-ＢＣＨ：Ｐｈｙｓｉｃａｌ  Ｂｒｏａｄｃａｓｔ  Ｃｈａｎｎｅｌ」により、該当するセル内のユーザ装置１００ｎに送信される。
【００４３】
また、ＢＣＣＨの一部は、トランスポートチャネルである「ＤＬ-ＳＣＨ：Ｄｏｗｎｌｉｎｋ  Ｓｈａｒｅｄ  Ｃｈａｎｎｅｌ」にマッピングされ、ＤＬ-ＳＣＨにマッピングされた情報は、物理チャネルである「ＰＤＳＣＨ」により、該当するセル内のユーザ装置１００ｎに送信される。
【００４４】
ＢＣＣＨ/ＤＬ-ＳＣＨ/ＰＤＳＣＨにより送信される報知チャネルは、ダイナミック報知チャネル（Ｄ-ＢＣＨ）と呼ばれてもよい。
【００４５】
なお、ＢＣＣＨにより送信される情報要素として、付加的なスペクトラムエミッション規定が適用されるか否かを通知するＡｄｄｉｔｉｏｎａｌＳｐｅｃｔｒｕｍＥｍｉｓｓｉｏｎが通知される。例えば、ＢＣＣＨ信号の１つである「ＳＩＢ：Ｓｙｓｔｅｍ  Ｉｎｆｏｒｍａｔｉｏｎ  Ｂｌｏｃｋ  Ｔｙｐｅ  ２」の一部の情報要素として、かかるＡｄｄｉｔｉｏｎａｌＳｐｅｃｔｒｕｍＥｍｉｓｓｉｏｎが通知されてもよい。
【００４６】
なお、前記ＡｄｄｉｔｉｏｎａｌＳｐｅｃｔｒｕｍＥｍｉｓｓｉｏｎは、ＲＲＣメッセージにより、基地局装置２００からユーザ装置１００ｎに通知されてもよい。ここで、ＲＲＣメッセージとは、例えば、Ｈａｎｄｏｖｅｒを指示するＲＲＣメッセージである「Ｈａｎｄｏｖｅｒ  Ｃｏｍｍａｎｄ」であってもよい。なお、前記ＲＲＣメッセージは、論理チャネルとしては、ＤＣＣＨ（Ｄｅｄｉｃａｔｅｄ  Ｃｏｎｔｒｏｌ  Ｃｈａｎｎｅｌ）である。
【００４７】
なお、ＡｄｄｉｔｉｏｎａｌＳｐｅｃｔｒｕｍＥｍｉｓｓｉｏｎは、上述したＳＩＢ２以外のシステムインフォーメーションブロックの情報要素の一部として、ユーザ装置１００ｎに通知されてもよい。
【００４８】
上りリンクについては、各ユーザ装置１００ｎで共有して使用されるＰＵＳＣＨ及びＰＵＣＣＨが用いられる。かかるＰＵＳＣＨにより、ユーザデータ、すなわち、通常のデータ信号が伝送される。
【００４９】
また、ＰＵＣＣＨにより、ＰＵＳＣＨのスケジューリング処理や適応変復調及び符号化処理（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：Ｃｈａｎｎｅｌ  Ｑｕａｌｉｔｙ  Ｉｎｄｉｃａｔｏｒ）、及び、ＰＵＳＣＨの送達確認情報（Ａｃｋｎｏｗｌｅｄｇｅｍｅｎｔ  Ｉｎｆｏｒｍａｔｉｏｎ）が伝送される。
【００５０】
かかる送達確認情報の内容は、送信信号が適切に受信されたことを示す肯定応答（ＡＣＫ：Ａｃｋｎｏｗｌｅｄｇｅｍｅｎｔ）又は送信信号が適切に受信されなかったことを示す否定応答（ＮＡＣＫ：Ｎｅｇａｔｉｖｅ  Ａｃｋｎｏｗｌｅｄｇｅｍｅｎｔ）の何れかで表現される。
【００５１】
なお、上述したＣＱＩや送達確認情報の送信タイミングが、ＰＵＳＣＨの送信タイミングと同じである場合には、かかるＣＱＩや送達確認情報を、ＰＵＳＣＨに多重して送信してもよい。
【００５２】
以下、図２を参照しながら、本実施形態に係る基地局装置２００について説明する。
【００５３】
基地局装置２００は、送受信アンテナ２０２と、アンプ部２０４と、送受信部２０６と、ベースバンド信号処理部２０８と、呼処理部２１０と、伝送路インターフェース２１２とを備える。
【００５４】
下りリンクにより基地局装置２００からユーザ装置１００ｎに送信されるユーザデータは、基地局装置２００の上位に位置する上位局、例えば、アクセスゲートウェイ装置３００から伝送路インターフェース２１２を介してベースバンド信号処理部２０８に入力される。
【００５５】
かかるユーザデータについては、ベースバンド信号処理部２０８では、ＰＤＣＰレイヤーの送信処理や、分割・結合処理やＲＬＣ（ｒａｄｉｏ  ｌｉｎｋ  ｃｏｎｔｒｏｌ）再送制御処理等のＲＬＣレイヤーの送信処理や、ＭＡＣ（Ｍｅｄｉｕｍ  Ａｃｃｅｓｓ  Ｃｏｎｔｒｏｌ）再送制御処理、例えば、ＨＡＲＱ（Ｈｙｂｒｉｄ  Ａｕｔｏｍａｔｉｃ  Ｒｅｐｅａｔ  ｒｅＱｕｅｓｔ）の送信処理や、スケジューリング処理や、伝送フォーマット選択処理や、チャネル符号化処理や、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）処理等が行われて、送受信部２０６に転送される。
【００５６】
また、ＲＲＣメッセージであるＤＣＣＨに関しても、チャネル符号化処理や逆高速フーリエ変換処理等の送信処理が行われて、送受信部２０６に転送される。
【００５７】
また、下りリンク制御チャネルであるＰＤＣＣＨを介して送信される下りリンク制御信号に関しても、チャネル符号化処理や逆高速フーリエ変換処理等の送信処理が行われて、送受信部２０６に転送される。
【００５８】
また、ベースバンド信号処理部２０８は、報知情報であるＢＣＣＨ信号を生成し、チャネル符号化処理や逆高速フーリエ変換処理等の送信処理を行い、送受信部２０６に転送する。
【００５９】
なお、ＢＣＣＨ信号には、上述したように、トランスポートチャネルとしてＢＣＨにマッピングされ、物理チャネルとしてＰ-ＢＣＨにマッピングされるもの、及び、トランスポートチャネルとしてはＤＬ-ＳＣＨにマッピングされ、物理チャネルとしてＰＤＳＣＨにマッピングされるものがある。
【００６０】
ベースバンド信号処理部２０８から出力されたベースバンド信号は、送受信部２０６で無線周波数信号に変換する周波数変換処理が施され、その後、アンプ部２０４で増幅されて送受信アンテナ２０２より送信される。
【００６１】
一方、上りリンクによりユーザ装置１００ｎから基地局装置２００に送信されるデータについては、送受信アンテナ２０２で受信された無線周波数信号が、アンプ部２０４で増幅され、送受信部２０６で周波数変換されてベースバンド信号に変換され、ベースバンド信号処理部２０８に入力される。
【００６２】
ベースバンド信号処理部２０８では、入力されたベースバンド信号に含まれるユーザデータに対して、ＦＦＴ処理や、ＩＤＦＴ処理や、誤り訂正復号処理や、ＭＡＣ再送制御の受信処理、ＲＬＣレイヤーの受信処理や、ＰＤＣＰレイヤーの受信処理等がなされ、伝送路インターフェース２１２を介してアクセスゲートウェイ装置３００に転送される。
【００６３】
呼処理部２１０は、通信チャネルの設定や解放等の呼処理や、無線基地局２００の状態管理や、無線リソースの管理を行う。
【００６４】
図３を参照しながら、本実施形態に係るユーザ装置１００ｎについて説明する。図３に示すように、ユーザ装置１００ｎは、送受信アンテナ１０２と、アンプ部１０４と、送受信部１０６と、ベースバンド信号処理部１０８と、アプリケーション部１１０と報知情報受信部１１２とセル選択／再選択部１１４を具備する。
【００６５】
下りリンクのデータについては、送受信アンテナ１０２で受信された無線周波数信号が、アンプ部１０４で増幅され、送受信部１０６で周波数変換されてベースバンド信号に変換される。
【００６６】
かかるベースバンド信号は、ベースバンド信号処理部１０８で、ＦＦＴ処理や、誤り訂正復号処理や、再送制御の受信処理等が施される。かかる下りリンクのデータの内、下りリンクのユーザデータは、アプリケーション部１１０に転送され、アプリケーション部１１０で、物理レイヤーやＭＡＣレイヤーより上位のレイヤーに関する処理等が施される。
【００６７】
また、かかる下りリンクのデータの内、報知情報は、アプリケーション部１１０を介して、報知情報受信部１１２に転送される。尚、前記報知情報とは、論理チャネルとしては、ＢＣＣＨであり、上述したように、トランスポートチャネルとしてＢＣＨにマッピングされ、物理チャネルとしてＰ-ＢＣＨにマッピングされるもの、及び、トランスポートチャネルとしてＤＬ-ＳＣＨにマッピングされ、物理チャネルとしてＰＤＳＣＨにマッピングされるものがある。
【００６８】
尚、上述した例では、報知情報は、アプリケーション部１１０を介して、報知情報受信部１１２に転送されたが、代わりに、ベースバンド信号処理部１０８から直接報知情報受信部１１２に転送されてもよい。
【００６９】
また、ベースバンド信号処理部１０８において、かかるベースバンド信号に含まれる下りリンクのリファレンス信号が抽出され、セル選択／再選択部１１４に送付される。
【００７０】
アプリケーション部１１０は、物理レイヤーやＭＡＣレイヤーより上位のレイヤーに関する処理等を行う。
【００７１】
報知情報受信部１１２は、ベースバンド信号処理部１０８から、アプリケーション部１１０を介して、あるいは、直接、報知情報を受け取る。
【００７２】
そして、報知情報受信部１１２は、前記報知情報に含まれる情報がサポートされない値である場合に、前記報知情報が送信されているセルを、「規制されているセル」とみなすと扱うように構成されている。
【００７３】
ここで、「規制されているセル」とは、例えば、Ｂａｒｒｅｄ  Ｃｅｌｌであってもよいし、あるいは、アクセスまたは通信が制限されているセルであってもよいし、あるいは、アクセスまたは通信が禁止されているセルと呼ばれてもよい。
【００７４】
また、「規制されているセル」とみなすとは、そのセルを「規制されているセル」として扱うという動作であってもよい。
【００７５】
すなわち、報知情報受信部１１２は、前記報知情報に含まれる情報がサポートされない値である場合に、そのセルへのアクセスが規制されている、あるいは、禁止されているとみなしてもよい。
【００７６】
あるいは、報知情報受信部１１２は、前記報知情報に含まれる情報がサポートされない値である場合に、そのセルとの通信が規制されている、あるいは、禁止されているとみなしてもよい。
【００７７】
また、「報知情報に含まれる情報がサポートされない」とは、例えば、前記報知情報に含まれる情報として、ユーザ装置１００ｎがサポートしていない値が通知されているという意味であってもよいし、あるいは、前記報知情報に含まれる情報として、ユーザ装置１００ｎが認識できない値が通知されているという意味であってもよい。
【００７８】
尚、報知情報受信部１２は、予め指定されている所定の情報要素に関して、報知情報に含まれる情報要素がサポートされない値である場合に、そのセルを「規制されているセル」とみなしてもよい。
【００７９】
この場合、報知情報受信部１２は、予め指定されている所定の情報要素以外の情報要素に関しては、報知情報に含まれる情報要素がサポートされない値であっても、そのセルを「規制されているセル」とみなさないという処理を行ってもよい。
【００８０】
上述した動作に関して、さらに、具体的に説明を行う。
【００８１】
例えば、報知情報受信部１２は、報知情報に含まれる情報要素として、システム帯域幅の値が通知され、かつ、前記システム帯域幅の値が、ユーザ装置１００ｎがサポートしない値であった場合に、前記報知情報が送信されるセルを「規制されているセル」とみなしてもよい。ここで、前記システム帯域幅の値は、上りリンクのシステム帯域幅であってもよいし、下りリンクのシステム帯域幅であってもよい。
【００８２】
より具体的には、報知情報受信部１２は、前記システム帯域幅の値として、４ＭＨｚが通知され、前記４ＭＨｚが、ユーザ装置１００ｎがサポートしないシステム帯域幅の値である場合に、その４ＭＨｚというシステム帯域幅を通知するセルを「規制されているセル」とみなしてもよい。
【００８３】
尚、前記システム帯域幅の値は、Ｃａｒｒｉｅｒ  Ａｇｇｒｅｇａｔｉｏｎが行われる場合の、コンポーネントキャリアのシステム帯域幅の値であってもよい。
【００８４】
この場合、少なくとも１つのコンポーネントキャリアのシステム帯域幅が、サポートしないシステム帯域幅である場合に、報知情報受信部１２は、そのセルを「規制されているセル」とみなしてもよい。
【００８５】
あるいは、報知情報受信部１２は、全てのコンポーネントキャリアのシステム帯域幅が、サポートしないシステム帯域幅である場合に、そのセルを「規制されているセル」とみなしてもよい。コンポーネントキャリアのシステム帯域幅は、単純に、１つのコンポーネントキャリアにおけるトータルの帯域幅を示す値であれば、システム帯域幅であってもよいし、チャネル帯域幅であってもよい。
【００８６】
例えば、報知情報受信部１２は、報知情報に含まれる情報要素として、上りリンクの周波数の値が通知され、かつ、前記上りリンクの周波数の値が、ユーザ装置１００ｎがサポートしない値であった場合に、前記報知情報が送信されるセルを「規制されているセル」とみなしてもよい。尚、前記上りリンクの周波数の値ではなく、下りリンクの周波数が、ユーザ装置１００ｎがサポートしない値であった場合に、前記報知情報が送信されるセルを「規制されているセル」とみなしてもよい。
【００８７】
あるいは、報知情報受信部１２は、下りリンクの周波数と上りリンクの周波数の差が、ユーザ装置１００ｎがサポートしない値であった場合に、前記報知情報が送信されるセルを「規制されているセル」とみなしてもよい。
【００８８】
尚、前記下りリンクの周波数と上りリンクの周波数の差は、ＴＸ-ＲＸ  Ｆｒｅｑｕｅｎｃｙ  Ｓｅｐａｒａｔｉｏｎ、あるいは、ＴＸ-ＲＸ ｃａｒｒｉｅｒ ｃｅｎｔｒｅ ｆｒｅｑｕｅｎｃｙ  ｓｅｐａｒａｔｉｏｎと呼ばれてもよい。
【００８９】
より具体的には、報知情報受信部１２は、前記上りリンクの周波数の値として、２０００ＭＨｚが通知され、前記２０００ＭＨｚが、ユーザ装置１００ｎがサポートしない上りリンクの周波数の値である場合に、その２０００ＭＨｚという上りリンクの周波数を通知するセルを「規制されているセル」とみなしてもよい。
【００９０】
あるいは、報知情報受信部１２は、前記上りリンクの周波数の値として、前記上りリンクの周波数の値と、下りリンクの周波数の値から算出される、下りリンクの周波数と上りリンクの周波数の差が、ユーザ装置１００ｎがサポートしない値であった場合に、前記報知情報が送信されるセルを「規制されているセル」とみなしてもよい。ここで、前記下りリンクの周波数は、例えば、セルサーチにおいて、下りリンクの同期信号を受信することにより算出されてもよい。
【００９１】
尚、前記上りリンク又は下りリンクの周波数の値又は下りリンクの周波数と上りリンクの周波数の差は、Ｃａｒｒｉｅｒ  Ａｇｇｒｅｇａｔｉｏｎが行われる場合の、コンポーネントキャリアの上りリンクまたは下りリンクの周波数の値または下りリンクの周波数と上りリンクの周波数の差であってもよい。
【００９２】
この場合、報知情報受信部１２は、少なくとも１つのコンポーネントキャリアの上りリンクまたは下りリンクの周波数または下りリンクの周波数と上りリンクの周波数の差が、サポートしない周波数である場合に、そのセルを「規制されているセル」とみなしてもよい。
【００９３】
あるいは、報知情報受信部１２は、全てのコンポーネントキャリアの上りリンクまたは下りリンクの周波数または下りリンクの周波数と上りリンクの周波数の差が、サポートしない周波数である場合に、そのセルを「規制されているセル」とみなしてもよい。
【００９４】
例えば、報知情報受信部１２は、報知情報に含まれる情報要素として、キャリアアグリゲーションが行われる場合の周波数バンドを示す情報が通知され、かつ、前記キャリアアグリゲーションが行われる場合の周波数バンドが、ユーザ装置１００ｎがサポートしない周波数バンドであった場合に、前記報知情報が送信されるセルを「規制されているセル」とみなしてもよい。
【００９５】
より具体的には、報知情報受信部１２は、前記キャリアアグリゲーションが行われる場合の周波数バンドとして、Ｂａｎｄ１とＢａｎｄ３が通知され、前記Ｂａｎｄ１とＢａｎｄ３のキャリアアグリゲーションが、ユーザ装置１００ｎがサポートしない場合に、そのセルを「規制されているセル」とみなしてもよい。
【００９６】
尚、キャリアアグリゲーションが行われる場合の周波数バンドがサポートされないとは、キャリアアグリゲーションが行われる複数の周波数のバンドの内、少なくとも１つがサポートされないことを意味してもよいし、あるいは、キャリアアグリゲーションが行われる場合の周波数バンドの組み合わせがサポートされないことを意味してもよい。
【００９７】
あるいは、キャリアアグリゲーションが行われる場合の周波数バンドがサポートされないとは、キャリアアグリゲーションが行われる複数の周波数のバンドの内、全ての周波数バンドがサポートされないことを意味してもよい。
【００９８】
尚、上述した例においては、キャリアアグリゲーションが行われる場合の周波数バンドに関して、サポートされるか否かに基づいて、「規制されているセル」とみなすか否かが決定されたが、代わりに、キャリアアグリゲーションが行われる場合のキャリアの周波数に関連する情報に関して、サポートされるか否かに基づいて、「規制されているセル」とみなすか否かが決定されてもよい。ここで、キャリアの周波数に関連する情報とは、周波数そのものの値であってもよいし、中心周波数の値であってもよい。
【００９９】
あるいは、キャリアアグリゲーションが行われる場合の、上りリンクの制御情報を送信する周波数バンドが、当該ユーザ装置１００ｎがサポートしない周波数バンドである場合に、報知情報受信部１２は、当該セルを「規制されているセル」とみなしてもよい。尚、上述した処理においては、上りリンクの制御情報を送信する周波数バンドではなく、上りリンクの制御情報の周波数に関してサポートされるか否かが判定されてもよい。
【０１００】
あるいは、キャリアアグリゲーションが行われる場合の、上りリンクのランダムアクセスチャネルを送信する周波数バンドが、当該ユーザ装置１００ｎがサポートしない周波数バンドである場合に、報知情報受信部１２は、当該セルを「規制されているセル」とみなしてもよい。尚、上述した処理においては、上りリンクのランダムアクセスチャネルを送信する周波数バンドではなく、上りリンクのランダムアクセスチャネルの周波数に関してサポートされるか否かが判定されてもよい。
【０１０１】
尚、上述したように、システム帯域幅を示す情報や、上りリンクの周波数を示す情報等が、サポートされない場合に、当該セルを「規制されているセル」とみなすことにより、不用意に上りリンクの信号を送信し、他システムに悪影響を与えることを回避することが可能となる。
【０１０２】
あるいは、例えば、報知情報受信部１２は、報知情報に含まれる情報要素として、付加的なスペクトラムエミッション規定が適用されるか否かを通知するＡｄｄｉｔｉｏｎａｌＳｐｅｃｔｒｕｍＥｍｉｓｓｉｏｎが通知され、かつ、前記ＡｄｄｉｔｉｏｎａｌＳｐｅｃｔｒｕｍＥｍｉｓｓｉｏｎの値が、ユーザ装置１００ｎがサポートしない値であった場合に、前記報知情報が送信されるセルを「規制されているセル」とみなしてもよい。
【０１０３】
尚、前記ＡｄｄｉｔｉｏｎａｌＳｐｅｃｔｒｕｍＥｍｉｓｓｉｏｎは、例えば、付加的に、他システムへの干渉を抑圧するために適用される情報要素であってもよい。
【０１０４】
より具体的には、報知情報受信部１２は、前記ＡｄｄｉｔｉｏｎａｌＳｐｅｃｔｒｕｍＥｍｉｓｓｉｏｎの値として、ＮＳ＿１２が通知され、前記ＮＳ＿１２が、ユーザ装置１００ｎがサポートしない値である場合に、そのＡｄｄｉｔｉｎｏｎａｌＳｐｅｃｔｒｕｍＥｍｉｓｓｉｏｎを通知するセルを「規制されているセル」とみなしてもよい。
【０１０５】
あるいは、例えば、報知情報受信部１２は、報知情報に含まれる情報要素として、付加的なスペクトラムエミッション規定が適用されるか否かを通知するＡｄｄｉｔｉｏｎａｌＳｐｅｃｔｒｕｍＥｍｉｓｓｉｏｎが通知され、かつ、前記ＡｄｄｉｔｉｏｎａｌＳｐｅｃｔｒｕｍＥｍｉｓｓｉｏｎの値が、ユーザ装置１００ｎが認識しない値であった場合に、前記報知情報が送信されるセルを「規制されているセル」とみなしてもよい。
【０１０６】
ここで、前記認識しない値とは、例えば、ユーザ装置１００ｎがサポートするリリースよりも後のリリースで定義された値であり、ユーザ装置１００ｎが認識できない値であってもよい。
【０１０７】
また、前記サポートしない値とは、例えば、前記ＮＳ＿１２をサポートするか否かが、オプションの機能として選択できるように定義されており、ユーザ装置１００ｎの動作として、サポートしない、というものであってもよい。
【０１０８】
より具体的には、報知情報受信部１２は、前記ＡｄｄｉｔｉｏｎａｌＳｐｅｃｔｒｕｍＥｍｉｓｓｉｏｎの値として、ＮＳ＿１２が通知され、前記ＮＳ＿１２が、ユーザ装置１００ｎが認識しない値である場合に、そのＡｄｄｉｔｉｎｏｎａｌＳｐｅｃｔｒｕｍＥｍｉｓｓｉｏｎを通知するセルを「規制されているセル」とみなしてもよい。
【０１０９】
以下に、ＡｄｄｉｔｉｎｏｎａｌＳｐｅｃｔｒｕｍＥｍｉｓｓｉｏｎの値が、ユーザ装置１００ｎがサポートしない値である場合、または、ユーザ装置１００ｎが認識しない値である場合に、報知情報受信部１２が、そのセルを「規制されているセル」とみなすことの効果を説明する。
【０１１０】
前記ＡｄｄｉｔｉｏｎａｌＳｐｅｃｔｒｕｍＥｍｉｓｓｉｏｎという情報要素は、他システムへの干渉レベルを低減するために、あるいは、他システムへの干渉レベルを許容されている値以下にするために通知されている情報要素である。
【０１１１】
すなわち、ユーザ装置１００ｎは、前記ＡｄｄｉｔｉｏｎａｌＳｐｅｃｔｒｕｍＥｍｉｓｓｉｏｎという情報要素に基づいて、他システムへの干渉レベルを低減する、あるいは、他システムへの干渉レベルを許容されている値以下にするように動作を行う。
【０１１２】
言い換えれば、前記ＡｄｄｉｔｉｏｎａｌＳｐｅｃｔｒｕｍＥｍｉｓｓｉｏｎの値がサポートしない値である、あるいは、認識できない値であるにも関わらず、当該セルと通信を行う、あるいは、通信を行おうと試みる場合、前記他システムに干渉信号を送信する可能性があり、結果として、前記他システムの通信品質を劣化させる可能性がある。
【０１１３】
よって、前記ＡｄｄｉｔｉｏｎａｌＳｐｅｃｔｒｕｍＥｍｉｓｓｉｏｎの値がサポートしない値である、あるいは、認識できない値である場合に、報知情報受信部１２は、当該セルを「規制されているセル」とみなすことにより、上述した他システムの通信品質の劣化を回避することが可能となる。
【０１１４】
あるいは、例えば、報知情報受信部１２は、報知情報に含まれる付加的なスペクトラムエミッション規定が適用されるか否かを通知するＡｄｄｉｔｉｏｎａｌＳｐｅｃｔｒｕｍＥｍｉｓｓｉｏｎと、当該セルの下りリンクまたは上りリンクの周波数と、当該セルのシステム帯域幅の少なくとも１つに基づいて、当該セルを「規制されているセル」とみなすか否かの判定を行ってもよい。
【０１１５】
例えば、報知情報受信部１２は、前記ＡｄｄｉｔｉｏｎａｌＳｐｅｃｔｒｕｍＥｍｉｓｓｉｏｎの値がＮＳ＿１５であり、かつ、当該セルの下りリンクまたは上りリンクの周波数が所定の周波数帯域に含まれる場合に、当該セルを「規制されているセル」とみなすように構成されていてもよい。
【０１１６】
尚、所定の周波数帯域とは、例えば、１０００ＭＨｚから１２００ＭＨｚという周波数の範囲であってもよいし、１０００ＭＨｚ以下という周波数の範囲であってもよいし、１４００ＭＨｚ以上という周波数の範囲であってもよいし、１３００ＭＨｚという周波数の値であってもよい。
【０１１７】
ここで、報知情報受信部１２が、前記ＡｄｄｉｔｉｏｎａｌＳｐｅｃｔｒｕｍＥｍｉｓｓｉｏｎの値と、下りリンク、または、上りリンクの周波数とに基づいて、当該セルを「規制されているセル」とみなすか否かの判定を行う効果を示す。
【０１１８】
上述した、他システムに与える干渉信号の影響度合いは、一般に、自システムの周波数帯域が、他システムの周波数帯域に近いか否かに依存する。よって、前記ＡｄｄｉｔｉｏｎａｌＳｐｅｃｔｒｕｍＥｍｉｓｓｉｏｎの値をサポートするか否かの情報に加えて、自システムの周波数に基づいて、当該セルを「規制されているセル」とみなすか否かの判定を行うことにより、より適切に、当該セルを「規制されているセル」とみなすか否かの判定を行うことが可能となる。
【０１１９】
例えば、報知情報受信部１２が、他システムの周波数と自システムの周波数が近く、かつ、前記ＡｄｄｉｔｉｏｎａｌＳｐｅｃｔｒｕｍＥｍｉｓｓｉｏｎの値がサポートしないである場合にのみ、当該セルを「規制されているセル」とみなすことにより、他システムの周波数と自システムの周波数が遠い場合には、前記ＡｄｄｉｔｉｏｎａｌＳｐｅｃｔｒｕｍＥｍｉｓｓｉｏｎの値がサポートしない値であっても、当該セルを「規制されているセル」とみなさなくてもよくなる、すなわち、当該セルに在圏することが可能となり、かつ、当該セルにおいて通信を行うことが可能となる。
【０１２０】
あるいは、例えば、報知情報受信部１２は、前記ＡｄｄｉｔｉｏｎａｌＳｐｅｃｔｒｕｍＥｍｉｓｓｉｏｎの値がＮＳ＿１５であり、かつ、当該セルの下りリンクまたは上りリンクの周波数が所定の周波数帯域に含まれ、かつ、当該セルのシステム帯域幅が所定の値である場合に、当該セルを「規制されているセル」とみなすように構成されていてもよい。
【０１２１】
尚、所定の周波数帯域とは、例えば、１０００ＭＨｚから１２００ＭＨｚという周波数の範囲であってもよいし、１０００ＭＨｚ以下という周波数の範囲であってもよいし、１４００ＭＨｚ以上という周波数の範囲であってもよいし、１３００ＭＨｚという周波数の値であってもよい。
【０１２２】
また、当該セルのシステム帯域幅が所定の値である場合とは、例えば、当該セルのシステム帯域幅が２０ＭＨｚである場合や、当該セルのシステム帯域幅が１５ＭＨｚである場合や、当該セルのシステム帯域幅が１５ＭＨｚまたは２０ＭＨｚである場合や、当該セルのシステム帯域幅が１５ＭＨｚ以上である場合であってもよい。
【０１２３】
ここで、前記ＡｄｄｉｔｉｏｎａｌＳｐｅｃｔｒｕｍＥｍｉｓｓｉｏｎの値と、下りリンク、または、上りリンクの周波数と、当該セルのシステム帯域幅とに基づいて、報知情報受信部１２が、当該セルを「規制されているセル」とみなすか否かの判定を行う効果を示す。
【０１２４】
上述した、他システムに与える干渉信号の影響度合いは、一般に、自システムの周波数帯域が、他システムの周波数帯域に近いか否かと、システム帯域幅に依存する。よって、前記ＡｄｄｉｔｉｏｎａｌＳｐｅｃｔｒｕｍＥｍｉｓｓｉｏｎの値をサポートするか否かの情報に加えて、自システムの周波数とシステム帯域幅に基づいて、当該セルを「規制されているセル」とみなすか否かの判定を行うことにより、より適切に、当該セルを「規制されているセル」とみなすか否かの判定を行うことが可能となる。
【０１２５】
例えば、報知情報受信部１２が、他システムの周波数と自システムの周波数が近く、かつ、システム帯域幅が大きく、かつ、前記ＡｄｄｉｔｉｏｎａｌＳｐｅｃｔｒｕｍＥｍｉｓｓｉｏｎの値がサポートしないである場合にのみ、当該セルを「規制されているセル」とみなすことにより、他システムの周波数と自システムの周波数が遠い場合や、システム帯域幅が小さい場合には、前記ＡｄｄｉｔｉｏｎａｌＳｐｅｃｔｒｕｍＥｍｉｓｓｉｏｎの値がサポートしない値であっても、当該セルを「規制されているセル」とみなさなくてもよくなる、すなわち、当該セルにおいて通信を行うことが可能となる。
【０１２６】
あるいは、例えば、報知情報受信部１２は、前記ＡｄｄｉｔｉｏｎａｌＳｐｅｃｔｒｕｍＥｍｉｓｓｉｏｎの値がＮＳ＿１５であり、かつ、当該セルの周波数バンドが所定の値であり、かつ、当該セルのシステム帯域幅が所定の値である場合に、当該セルを「規制されているセル」とみなすように構成されていてもよい。
【０１２７】
尚、所定の周波数バンドとは、例えば、バンド１やバンド２といった、予めきめられているバンドであってもよい。あるいは、予めＡｄｄｉｔｉｏｎａｌＳｐｅｃｔｒｕｍＥｍｉｓｓｉｏｎの値と周波数バンドの値の関係が定義され、その関係がある周波数バンドであってもよい。
【０１２８】
また、当該セルのシステム帯域幅が所定の値である場合とは、例えば、当該セルのシステム帯域幅が２０ＭＨｚである場合や、当該セルのシステム帯域幅が１５ＭＨｚである場合や、当該セルのシステム帯域幅が１５ＭＨｚまたは２０ＭＨｚである場合や、当該セルのシステム帯域幅が１５ＭＨｚ以上である場合であってもよい。
【０１２９】
ここで、報知情報受信部１２が、前記ＡｄｄｉｔｉｏｎａｌＳｐｅｃｔｒｕｍＥｍｉｓｓｉｏｎの値と、周波数バンドと、当該セルのシステム帯域幅とに基づいて、当該セルを「規制されているセル」とみなすか否かの判定を行う効果を示す。
【０１３０】
上述した、他システムに与える干渉信号の影響度合いは、一般に、自システムの周波数帯域が、他システムの周波数帯域に近いか否かと、システム帯域幅に依存する。
【０１３１】
ここで、周波数バンドが特定された場合、上りリンク及び下りリンクの周波数帯域、もしくは、周波数帯域の範囲が特定される。よって、報知情報受信部１２が、前記ＡｄｄｉｔｉｏｎａｌＳｐｅｃｔｒｕｍＥｍｉｓｓｉｏｎの値をサポートするか否かの情報に加えて、周波数バンドとシステム帯域幅に基づいて、当該セルを「規制されているセル」とみなすか否かの判定を行うことにより、より適切に、当該セルを「規制されているセル」とみなすか否かの判定を行うことが可能となる。
【０１３２】
例えば、報知情報受信部１２が、他システムの周波数と自システムの周波数が近く、かつ、システム帯域幅が大きく、かつ、前記ＡｄｄｉｔｉｏｎａｌＳｐｅｃｔｒｕｍＥｍｉｓｓｉｏｎの値がサポートしないである場合にのみ、当該セルを「規制されているセル」とみなすことにより、他システムの周波数と自システムの周波数が遠い場合や、システム帯域幅が小さい場合には、前記ＡｄｄｉｔｉｏｎａｌＳｐｅｃｔｒｕｍＥｍｉｓｓｉｏｎの値がサポートしない値であっても、当該セルを「規制されているセル」とみなさなくてもよくなる、すなわち、当該セルにおいて通信を行うことが可能となる。
【０１３３】
尚、上述した例においては、報知情報受信部１２が、ＡｄｄｉｔｉｏｎａｌＳｐｅｃｔｒｕｍＥｍｉｓｓｉｏｎの値に加えて、下りリンクまたは上りリンクの周波数や、システム帯域幅や、周波数バンドに基づいて、当該セルを「規制されているセル」とみなすか否かの処理を行っているが、ＡｄｄｉｔｉｏｎａｌＳｐｅｃｔｒｕｍＥｍｉｓｓｉｏｎの値と、下りリンクまたは上りリンクの周波数と、システム帯域幅と、周波数バンドの少なくとも１つに基づいて、当該セルを「規制されているセル」とみなすか否かの処理を行ってもよい。
【０１３４】
尚、前記下りリンクまたは上りリンクの周波数やシステム帯域幅、周波数バンドは、報知情報により基地局装置２００から通知されてもよいし、ＲＲＣメッセージにより基地局装置２００から通知されてもよいし、同期信号により基地局装置２００から通知されてもよい。
【０１３５】
同期信号により通知される場合には、前記同期信号を用いてセルサーチを行う際に、インプリシットに、前記下りリンクまたは上りリンクの周波数やシステム帯域幅、周波数バンドが通知されてもよい。
【０１３６】
尚、報知情報受信部１２は、報知情報ではなく、ＲＲＣメッセージの情報要素として、ＡｄｄｉｔｉｏｎａｌＳｐｅｃｔｒｕｍＥｍｉｓｓｉｏｎ等の情報要素を受信した場合にも、上述したような、そのセルを「規制されているセル」とみなすか否かの判定を行ってもよい。
【０１３７】
ここで、例えば、ユーザ装置１００ｎは、ハンドオーバを行う際に、ハンドオーバ先のセルに関する、上記ＡｄｄｉｔｉｏｎａｌＳｐｅｃｔｒｕｍＥｍｉｓｓｉｏｎ等の情報要素を、ハンドオーバ元のセルから受信してもよい。
【０１３８】
尚、前記ＡｄｄｉｔｉｏｎａｌＳｐｅｃｔｒｕｍＥｍｉｓｓｉｏｎは、キャリアアグリゲーションが行われる場合の、各コンポーネントキャリアにおけるＡｄｄｉｔｉｏｎａｌＳｐｅｃｔｒｕｍＥｍｉｓｓｉｏｎの値であってもよい。
【０１３９】
すなわち、報知情報受信部１２は、各コンポーネントキャリアにおけるＡｄｄｉｔｉｏｎａｌＳｐｅｃｔｒｕｍＥｍｉｓｓｉｏｎに関して、上述した判定を行い、少なくとも１つのコンポーネントキャリアに関して、サポートされないＡｄｄｉｔｉｏｎａｌＳｐｅｃｔｒｕｍＥｍｉｓｓｉｏｎが送信されている場合に、当該セルを「規制されているセル」とみなしてもよい。
【０１４０】
あるいは、報知情報受信部１２は、各コンポーネントキャリアにおけるＡｄｄｉｔｉｏｎａｌＳｐｅｃｔｒｕｍＥｍｉｓｓｉｏｎに関して、上述した判定を行い、全てのコンポーネントキャリアに関して、サポートされないＡｄｄｉｔｉｏｎａｌＳｐｅｃｔｒｕｍＥｍｉｓｓｉｏｎが送信されている場合に、当該セルを「規制されているセル」とみなしてもよい。
【０１４１】
尚、上述したＡｄｄｉｔｉｏｎａｌＳｐｅｃｔｒｕｍＥｍｉｓｓｉｏｎは、例えば、ＢＣＣＨ信号の１つである「ＳＩＢ１」の情報要素として送信されてもよいし、ＳＩＢ２の情報要素として送信されてもよいし、ＭＩＢの情報要素として送信されてもよい。
【０１４２】
また、ＲＲＣメッセージの一部として、前記ＡｄｄｉｔｉｏｎａｌＳｐｅｃｔｒｕｍＥｍｉｓｓｉｏｎが受信された場合には、前記ＡｄｄｉｔｉｏｎａｌＳｐｅｃｔｒｕｍＥｍｉｓｓｉｏｎは、アプリケーション部１１０を介して、後述する報知情報受信部１１２に転送される。
【０１４３】
なお、ＡｄｄｉｔｉｏｎａｌＳｐｅｃｔｒｕｍＥｍｉｓｓｉｏｎは、アプリケーション部１１０を介さずに、報知情報受信部１１２に転送されてもよい。
【０１４４】
一方、上りリンクのユーザデータについては、アプリケーション部１１０からベースバンド信号処理部１０８に入力され、ベースバンド信号処理部１０８で、再送制御の送信処理や、チャネル符号化処理や、ＤＦＴ処理や、ＩＦＦＴ処理等が行われて、送受信部１０６に転送される。
【０１４５】
ベースバンド信号処理部１０８から出力されたベースバンド信号は、その後、送受信部１０６で無線周波数帯に変換する周波数変換処理が施され、その後、アンプ部１０４で増幅されて送受信アンテナ１０２より送信される。
【０１４６】
前記上りリンクのユーザデータは、物理チャネルであるＰＵＳＣＨにマッピングされる。すなわち、前記上りリンクのユーザデータがマッピングされたＰＵＳＣＨが、上述したように、ベースバンド信号処理部１０８、送受信部１０６、アンプ部１０４、送受信アンテナ１０２を介して、基地局装置２００に送信される。
【０１４７】
なお、後述するように、上りリンクにおいては、前記ＰＵＳＣＨに加えて、ＰＵＣＣＨやＳＲＳ（Ｓｏｕｎｄｉｎｇ  Ｒｅｆｅｒｅｎｃｅ  Ｓｉｇｎａｌ）や物理ランダムアクセスチャネル（ＰＲＡＣＨ）も、上述したように、ベースバンド信号処理部１０８、送受信部１０６、アンプ部１０４、送受信アンテナ１０２を介して、基地局装置２００に送信されてもよい。
【０１４８】
セル選択／再選択部１１４は、下りリンクのリファレンス信号（ＤＬ-ＲＳ：Ｄｏｎｗｌｉｎｋ  Ｒｅｆｅｒｅｎｃｅ  Ｓｉｇｎａｌ）を受け取り、移動通信システム内のセルの受信信号品質を測定し、前記セルの受信信号品質に基づいて、セル選択／再選択を行うように構成されている。
【０１４９】
また、セル選択／再選択部１１４は、上述したように、報知情報受信部１１２において、「規制されているセル」と判定されたセルに、セル選択、あるいは、セル再選択しないように構成されている。
【０１５０】
ここで、「規制されているセル」と判定されたセルに、セル選択、あるいは、セル再選択しないとは、例えば、「規制されているセル」と判定されたセルに、在圏しない、あるいは、キャンプオンしないという動作であってもよい。尚、当該セルにセル選択、あるいは、セル再選択しない場合、結果として、当該セルとの通信が禁止される。あるいは、当該セルに在圏しない、あるいは、キャンプオンしない場合、結果として、当該セルとの通信が禁止される。
【０１５１】
尚、かかる受信信号品質は、例えば、下りリンクのリファレンス信号の受信レベル（ＲＳＲＰ：Ｒｅｆｅｒｅｎｃｅ  Ｓｉｇｎａｌ  Ｒｅｃｅｉｖｅｄ  Ｐｏｗｅｒ）であってもよいし、ＲＳＲＰ（Ｒｅｆｅｒｅｎｃｅ  Ｓｉｇｎａｌ  Ｒｅｃｅｉｖｅｄ  Ｑｕａｌｉｔｙ）であってもよい。ここで、ＲＳＲＱとは、下りリンクのリファレンス信号の受信電力を、下りリンクのＲＳＳＩ（Ｒｅｃｅｉｖｅｄ  Ｓｉｇｎａｌ  Ｓｔｒｅｎｇｔｈ  Ｉｎｄｉｃａｔｏｒ）で割った値である。
【０１５２】
ここで、ＲＳＳＩとは、移動局において観測されるトータルの受信レベルであり、熱雑音や他セルからの干渉電力、自セルからの希望信号の電力等の全てを含んだ受信レベルのことである。あるいは、かかる受信信号品質は、例えば、希望信号電力対非希望信号電力の比率で表現されてよく、ＳＩＲ（Ｓｉｇｎａｌ−ｔｏ−Ｉｎｔｅｆｅｒｅｎｃｅ  Ｒａｔｉｏ）で表現されてよい。
【０１５３】
以下、図４を参照して、本実施形態に係るユーザ装置１００ｎの動作について、簡単に説明する。
【０１５４】
図４に示すように、ステップＳ３０２において、ユーザ装置１００ｎは、報知情報により通知される情報要素がサポートしない値であるか否かについて判定する。
【０１５５】
ここで、前記情報要素とは、例えば、システム帯域幅を示す情報であってもよいし、上りリンクの周波数を示す情報であってもよいし、キャリアアグリゲーションが行われる周波数バンドを示す情報であってもよいし、上りリンクの制御情報を送信する周波数バンドを示す情報であってもよいし、ランダムアクセスチャネルを送信する周波数バンドを示す情報であってもよいし、ＡｄｄｉｔｉｏｎａｌＳｐｅｃｔｒｕｍＥｍｉｓｓｉｏｎであってもよい。あるいは、それらの情報の組み合わせであってもよい。
【０１５６】
前記報知情報により通知される情報要素がサポートしない値である場合（ステップＳ３０２：ＹＥＳ）、ステップＳ３０４に進み、当該セルを、規制されているセルとみなす。ここで、当該セルとは、前記報知情報を送信するセルである。
【０１５７】
一方、前記報知情報により通知される情報要素がサポートしない値でない場合（ステップＳ３０２：ＮＯ）、本動作を終了する。
【０１５８】
以下、図５を参照して、本実施形態に係るユーザ装置１００ｎの動作について、簡単に説明する。
【０１５９】
図５に示すように、ステップＳ４０２において、ユーザ装置１００ｎは、報知情報により通知される情報要素がサポートしない値であるか否かについて判定する。ここで、前記情報要素とは、例えば、ＡｄｄｉｔｉｏｎａｌＳｐｅｃｔｒｕｍＥｍｉｓｓｉｏｎであってもよい。
【０１６０】
あるいは、前記情報要素とは、例えば、上りリンクの周波数を示す情報であってもよいし、キャリアアグリゲーションが行われる周波数バンドを示す情報であってもよいし、上りリンクの制御情報を送信する周波数バンドを示す情報であってもよいし、ランダムアクセスチャネルを送信する周波数バンドを示す情報であってもよいし、ＡｄｄｉｔｉｏｎａｌＳｐｅｃｔｒｕｍＥｍｉｓｓｉｏｎであってもよい。
【０１６１】
前記報知情報により通知される情報要素がサポートしない値である場合（ステップＳ４０２：ＹＥＳ）、ステップＳ４０４に進み、周波数が１０００ＭＨｚ以上であり、かつ、１２００ＭＨｚ以下であるか否かを判定する。ここで、周波数とは、下りリンクの周波数であってもよいし、上りリンクの周波数であってもよい。
【０１６２】
前記周波数が１０００ＭＨｚ以上であり、かつ、１２００ＭＨｚ以下である場合（Ｓ４０４：ＹＥＳ）、ステップＳ４０６に進み、当該セルを、規制されているセルとみなす。ここで、当該セルとは、前記報知情報を送信するセルである。
【０１６３】
一方、前記周波数が１０００ＭＨｚより小さい、または、１２００ＭＨｚより大きい場合（Ｓ４０４：ＮＯ）、本動作を終了する。
【０１６４】
また、ステップＳ４０２において、前記報知情報により通知される情報要素がサポートしない値でない場合（ステップＳ４０２：ＮＯ）、本動作を終了する。
【０１６５】
以下、図６を参照して、本実施形態に係るユーザ装置１００ｎの動作について、簡単に説明する。
【０１６６】
図６に示すように、ステップＳ５０２において、ユーザ装置１００ｎは、報知情報により通知される情報要素がサポートしない値であるか否かについて判定する。ここで、前記情報要素とは、例えば、ＡｄｄｉｔｉｏｎａｌＳｐｅｃｔｒｕｍＥｍｉｓｓｉｏｎであってもよい。
【０１６７】
あるいは、前記情報要素とは、例えば、上りリンクの周波数を示す情報であってもよいし、キャリアアグリゲーションが行われる周波数バンドを示す情報であってもよいし、上りリンクの制御情報を送信する周波数バンドを示す情報であってもよいし、ランダムアクセスチャネルを送信する周波数バンドを示す情報であってもよいし、ＡｄｄｉｔｉｏｎａｌＳｐｅｃｔｒｕｍＥｍｉｓｓｉｏｎであってもよい。
【０１６８】
前記報知情報により通知される情報要素がサポートしない値である場合（ステップＳ５０２：ＹＥＳ）、ステップＳ５０４に進み、周波数が１０００ＭＨｚ以上であり、かつ、１２００ＭＨｚ以下であり、かつ、システム帯域幅が２０ＭＨｚであるか否かを判定する。ここで、周波数とは、下りリンクの周波数であってもよいし、上りリンクの周波数であってもよい。
【０１６９】
前記周波数が１０００ＭＨｚ以上であり、かつ、１２００ＭＨｚ以下であり、かつ、システム帯域幅が２０ＭＨｚである場合（Ｓ５０４：ＹＥＳ）、ステップＳ５０６に進み、当該セルを、規制されているセルとみなす。ここで、当該セルとは、前記報知情報を送信するセルである。
【０１７０】
一方、前記周波数が１０００ＭＨｚより小さい、または、１２００ＭＨｚより大きい、または、システム帯域幅が２０ＭＨｚでない場合（Ｓ５０４：ＮＯ）、本動作を終了する。
【０１７１】
また、ステップＳ５０２において、前記報知情報により通知される情報要素がサポートしない値でない場合（ステップＳ５０２：ＮＯ）、本動作を終了する。
【０１７２】
（本発明の第１の実施形態に係る移動通信システムの作用・効果）
本発明の第１の実施形態に係る移動通信システムによれば、報知情報に含まれる情報がサポートされない値である場合、あるいは、サポートされない値である場合に、他システムへの干渉を回避することが可能となり、適切な移動通信を用いたサービスを提供することが可能となる。
【０１７３】
以上に述べた本実施形態の特徴は、以下のように表現されていてもよい。
【０１７４】
本実施形態の第１の特徴は、基地局装置２００が移動通信サービスを提供しているセル５０において、基地局装置２００と無線通信するユーザ装置１００ｎであって、下りリンクにおいて、報知情報を受信するように構成されている報知情報受信部１１２を具備し、報知情報受信部１１２は、報知情報に含まれる情報がサポートされない値である場合に、セル５０を、規制されているセルとみなすように構成されていてもよい。
【０１７５】
本実施形態の第１の特徴において、セル５０に在圏するように構成されているセル選択／再選択部１１４をさらに具備し、セル選択／再選択部１１４は、報知情報受信部１１２が、セル５０を規制されているセルとみなした場合に、セル５０に在圏しないように構成されていてもよい。
【０１７６】
本実施形態の第１の特徴において、報知情報に含まれる情報は、システム帯域幅を示す情報、上りリンクの周波数を示す情報、キャリアアグリゲーションが行われる周波数バンドを示す情報、上りリンクの制御情報を送信する周波数バンドを示す情報、ランダムアクセスチャネルを送信する周波数バンドを示す情報、付加的なスペクトラムエミッション規定が適用されるか否かを示す情報の少なくとも１つであってもよい。
【０１７７】
本実施形態の第１の特徴において、報知情報に含まれる情報は、付加的なスペクトラムエミッション規定が適用されるか否かを示す情報であってもよい。
【０１７８】
本実施形態の第１の特徴において、報知情報受信部１１２は、付加的なスペクトラムエミッション規定が適用されるか否かを示す情報がサポートされるか否かに加えて、周波数とシステム帯域幅の少なくとも１つに基づいて、セル５０を、規制されているセルとみなすか否かについて判定するように構成されていてもよい。
【０１７９】
本実施形態の第２の特徴は、基地局装置２００が移動通信サービスを提供しているセル５０において、基地局装置２００と無線通信するユーザ装置１００ｎにおける移動通信方法であって、下りリンクにおいて、報知情報を受信する第１のステップを有し、第１のステップにおいて、報知情報に含まれる情報がサポートされない場合に、セル４０を、規制されているセルとみなすことを要旨とする。
【０１８０】
なお、上述の基地局装置２００及びユーザ装置１００ｎの動作は、ハードウェアによって実施されてもよいし、プロセッサによって実行されるソフトウェアモジュールによって実施されてもよいし、両者の組み合わせによって実施されてもよい。
【０１８１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１８２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、基地局装置２００及びユーザ装置１００ｎ内に設けられていてもよい。また、かかる記憶媒体及びプロセッサは、ディスクリートコンポーネントとして基地局装置２００及びユーザ装置１００ｎ内に設けられていてもよい。
【０１８３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１８４】
１０００…移動通信システム
４００…コアネットワーク
３００…アクセスゲートウェイ装置
２００…基地局装置
１００…ユーザ装置
１０２、２０２…送受信アンテナ
１０４、２０４…アンプ部
１０６、２０６…送受信部
１０８、２０８…ベースバンド信号処理部
２１０…呼処理部
２１２…伝送路インターフェース
１１０…アプリケーション部
１１２…報知情報受信部
１１４…セル選択／再選択部
【図１】
2011044822.tif 000003
【図２】
2011044822.tif 000004
【図３】
2011044822.tif 000005
【図４】
2011044822.tif 000006
【図５】
2011044822.tif 000007
【図６】
2011044822.tif 000008
【手続補正書】
【提出日】平成22年8月9日(2010.8.9)
【手続補正１】
【補正対象書類名】明細書
【補正対象項目名】００１８
【補正方法】変更
【補正の内容】
【００１８】
尚、上記思想は、基地局装置は、前記移動通信システムを提供する事業者が、各国の行政の監視の下、適正に移動通信システムの運用を行うが、ユーザ装置は、一般ユーザが所有する無線通信端末であり、監視が行き届かないという前提に基づいている。
【手続補正２】
【補正対象書類名】明細書
【補正対象項目名】００４９
【補正方法】変更
【補正の内容】
【００４９】
また、ＰＵＣＣＨにより、ＰＤＳＣＨのスケジューリング処理や適応変復調及び符号化処理（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：Ｃｈａｎｎｅｌ  Ｑｕａｌｉｔｙ  Ｉｎｄｉｃａｔｏｒ）、及び、ＰＵＳＣＨの送達確認情報（Ａｃｋｎｏｗｌｅｄｇｅｍｅｎｔ  Ｉｎｆｏｒｍａｔｉｏｎ）が伝送される。
【手続補正３】
【補正対象書類名】明細書
【補正対象項目名】００９５
【補正方法】変更
【補正の内容】
【００９５】
より具体的には、報知情報受信部１２は、前記キャリアアグリゲーションが行われる場合の周波数バンドとして、Ｂａｎｄ１とＢａｎｄ３が通知され、前記Ｂａｎｄ１とＢａｎｄ３のキャリアアグリゲーションを、ユーザ装置１００ｎがサポートしない場合に、そのセルを「規制されているセル」とみなしてもよい。
【手続補正４】
【補正対象書類名】明細書
【補正対象項目名】０１１９
【補正方法】変更
【補正の内容】
【０１１９】
例えば、報知情報受信部１２が、他システムの周波数と自システムの周波数が近く、かつ、前記ＡｄｄｉｔｉｏｎａｌＳｐｅｃｔｒｕｍＥｍｉｓｓｉｏｎの値、当該ＵＥがサポートしないである場合にのみ、当該セルを「規制されているセル」とみなすことにより、他システムの周波数と自システムの周波数が遠い場合には、前記ＡｄｄｉｔｉｏｎａｌＳｐｅｃｔｒｕｍＥｍｉｓｓｉｏｎの値がサポートしない値であっても、当該セルを「規制されているセル」とみなさなくてもよくなる、すなわち、当該セルに在圏することが可能となり、かつ、当該セルにおいて通信を行うことが可能となる。
【手続補正５】
【補正対象書類名】明細書
【補正対象項目名】０１７２
【補正方法】変更
【補正の内容】
【０１７２】
（本発明の第１の実施形態に係る移動通信システムの作用・効果）
本発明の第１の実施形態に係る移動通信システムによれば、報知情報に含まれる情報がサポートされない値である場合、他システムへの干渉を回避することが可能となり、適切な移動通信を用いたサービスを提供することが可能となる。